(57)【特許請求の範囲】
【請求項１】
家屋の外壁に臨んで開口する換気ダクトの屋外開口端に装着される屋外端末部品であっ
て、
前記換気ダクトと連通させる孔が形成された背板を有するベースと、
このベースを、下部を除いて覆うカバーと、
前記背板の下縁部から前記カバー側に向かって斜め下方に突き出た水切り板と、
この水切り板の上において、前記背板側から前記カバー側に向かって斜め下方に突き出
た、前記水切り板より突き出し量の小さい止水板とを備え、
前記ベースが、前記背板の両側部から折り曲げにより前記カバー側に略直角に突き出した２つの側部立上りを有し、
前記２つの側部立上りの外面と前記カバーの両側部の内面とは、前記カバーが前記ベースに装着された状態で、二重構造を形成するように互いに面接触している屋外端末部品。
【請求項２】
請求項１に記載の屋外端末部品であって、カバーの下部の開口部に格子状のギャラリを
設け、このギャラリに止水板を一体に設けた屋外端末部品。
【請求項３】
請求項２に記載の屋外端末部品であって、止水板の端縁をベースの背板に密着するよう
にした屋外端末部品。
【請求項４】
請求項２または３に記載の屋外端末部品であって、前記止水板は、前記背板
側に前記背板と平行であって、前記背板と接する平面を有する屋外端末部品。
【請求項５】
請求項４に記載の屋外端末部品であって、前記止水板の平面の上縁部には、前記カバー
側に伸びる止水縁部が設けられた屋外端末部品。
【請求項６】
請求項２から５のいずれか１項に記載の屋外端末部品であって、前記ギャラリを構成す
るブレードの少なくとも一つが垂下状になっている屋外端末部品。
【発明の詳細な説明】
【技術分野】
【０００１】
本発明は、家屋の外壁に臨んで開口する換気ダクトの屋外開口端に装着される屋外端末部品に関するものである。
【背景技術】
【０００２】
家屋の外壁に臨んで開口する換気ダクトの屋外開口端に装着される屋外端末部品は、換気ダクトの屋外開口端から風雨の浸入を防止するもので、換気ダクトの屋外開口端に装着される枠体とこれの外側を、下部の通気開口部を残して覆うフードを備えている。フードから流れ落ちる雨水で外壁が汚れないようにフードの幅より大きな水切板を換気開口部の外壁側に斜めに延出させたものもある。また、下方から吹き上がる雨水が換気ダクトの屋外開口端から浸入しないようにフード内に止水板を段差状に設けたものもある。なお、この種の従来技術としては、特許文献１や特許文献２に開示されている。
【０００３】
【特許文献１】特開平１１−２８１１１２号公報
【特許文献２】特開平９−２０３５４２号公報
【発明の開示】
【発明が解決しようとする課題】
【０００４】
水切板は外壁から離す方向に雨水を導くものであるため、外壁に対して斜め前方に庇状に突き出す構成を採っているが、フードに前方から吹き込む外風に対しては傾斜に沿ってフード内に導く案内板として機能してしまう。この外風に乗った雨滴も外風とともにフード内に吹き込み、換気ダクト内へ浸入してしまうことになる。フード内に数段の止水板を設けたものは構成が極めて複雑になり、コストも嵩む。
【０００５】
本発明は、上記した従来の問題点を解決するためになされたもので、雨水で外壁が汚れないように外壁から雨水を離すことができるとともに、吹き込む風の動きを制して雨水の内部への浸入を防ぐことができる、構成の簡素な屋外端末部品を得ることである。
【課題を解決するための手段】
【０００６】
上記目的を達成するために本発明は、家屋の外壁に臨んで開口する換気ダクトの屋外開口端に装着され、この屋外開口端からの風雨の浸入を防止する屋外端末部品について、換気ダクトの屋外開口端に接続するパイプガイドと外壁面に沿う孔開きの方形の背板を有するベースと、このベースの屋外側を、下部を除いてフード状に覆うカバーとを備え、背板の下縁部をカバーの下部の開口部より下位に斜め前方に突き出させて水切り板を構成し、水切り板の上に並んで水切り板より突き出し量の小さい止水板を斜め前方に延出させる手段を採用する。
【発明の効果】
【０００７】
本発明によれば、カバーを滴下する雨水で外壁が汚れないように外壁から雨水を水切り板の勾配によって離すことができるとともに、水切り板の上に並んで庇状に水切り板より突き出し量の小さい簡素な構成の止水板を斜め前方に延出するだけで、下から吹き込む外風は、止水板で水切り板側へ向きを変えられ、水切り板の勾配に沿ってカバー外へ向けられる。従って、この外風に乗って吹き込む雨水もカバー外へ向けられ、内部への浸入は防止される。
【発明を実施するための最良の形態】
【０００８】
本発明の屋外端末部品は、家屋の外壁に臨んで開口する換気ダクトの屋外開口端に装着され、この屋外開口端からの風雨の浸入を防止するものである。この屋外端末部品は、換気ダクトの屋外開口端に接続するパイプガイドと外壁面に沿う孔開きの方形の背板を有するベースの屋外側を下部を除いてフード状に覆うカバーとで構成されている。ベースの背板の下縁部は、カバーの下部の開口部より下位において斜め前方に突き出す水切り板としてエプロン状に構成されている。水切り板の上には、水切り板に並んで水切り板より突き出し量の小さい止水板が庇状に斜め前方に延出している。
【０００９】
本発明によれば、カバーを滴下する雨水で外壁の屋外側壁面が汚れないように屋外側壁面から雨水を水切り板の勾配によって離すことができる。水切り板の上に並んで庇状に水切り板より突き出し量の小さい止水板が斜め前方に延出しているので、下から吹き込む外風は、水切り板の勾配に沿って上方へ向かい、止水板で斜め前方へ向けられ、水切り板側へ向きを変えられ、水切り板の勾配に沿ってカバー外へ向けられる。つまり、吹き込む外風は、水切り板と止水板と背板で仕切られるチャンネル状の空間で方向を概ね反転されることになる。従って、この外風に乗って吹き込む雨水もカバー外へ向けられ、カバー内部への浸入は防止される。水切り板より止水板は、風向きを変えることを目的としているため、その突き出し量は小さくてよく、構成も簡素である。
【００１０】
実施の形態１．
図１は、本実施の形態の換気系の屋外端末部品についての分解斜視図、図２は、図１のＡ―Ａ線の断面図、図３は、カバーの形態を示す展開図、図４は、屋外端末部品の取付状態を示す断面図、図５は、水切り板と止水板の機能を示す側断面図、図６は、他の形態の水切り板と止水板との関係を示す要部の拡大斜視図である。
【００１１】
本実施の形態は、換気系（給気系・排気系を含む）の屋外端末部品に関するもので、図４に示すように家屋の外壁に臨んで開口する換気ダクト１の屋外開口端に装着され、換気ダクト１の屋外開口端からの風雨の浸入を防止するものである。この屋外端末部品は図２に示すように、換気ダクト１の屋外開口端に屋外側から嵌め装着される板金製のベース２と、このベース２に係脱可能に装着される板金製のカバー３を主体に構成されている。
【００１２】
ベース２は、四方形の背板４の中央に開けられた丸孔５に、一端にフランジの付いたパイプガイド６が取付けられている。パイプガイド６には数個の反り付きの板ばね（図示しない）が装着されていて、換気ダクト１に屋外開口端から嵌め込まれ、これらの板ばねによって背板４を外壁に沿って保持する。背板４には丸孔５の外側を囲むように四方形をなして背後に７ｍｍ〜９ｍｍ程度突き出すフランジ状の突出部７が折り曲げによって形成されている（図１，図２参照）。この突出部７は、ベース２を換気ダクト１の屋外開口端に装着し、屋外側壁面との間にコーキング材８を充填する際の充填部分を画成する。
【００１３】
背板４の上部と両側には折り曲げにより屋外側に略直角に突き出す方形のフラップ状の立上り９が形成されている（図１，図２参照）。上部の立上り９にはその長辺に沿って丸底の嵌込み溝１０が形成されている。両側の立上り９は、上部の立上り９より幅広に形成され、その下縁には直角に内側に曲げ込まれた取付部１１が設けられている。また、下部には背板４の外壁当接部１４から斜めに屋外側（前方）へ張り出した水切り板１２がエプロン状に形成されている。
【００１４】
ベース２を換気ダクト１の屋外開口端に装着した状態では、背板４の突出部７の突出端が換気ダクト１の屋外開口端の開口した外壁の屋外側壁面１３に当接する。突出部７により背板４の丸孔５の周りは凹状に窪み、背板４の背面と屋外側壁面１３との間には若干の隙間が形成される。この隙間により施工上のばらつき等で換気ダクト１の屋外開口端が屋外側壁面１３から若干突き出していても突き出し分を吸収できる。そして、突出部７の上面と、突出部７の外側の背板部分と、外壁の屋外側壁面１３とで換気ダクト１の屋外開口端を角形をなして囲む屋外側壁面１３に沿って開放したコの字状の一連の溝１５が形成される。この溝１５は、コーキング材を充填する際の充填部分となる。
【００１５】
カバー３は、ベース２の屋外側を、下部を除いて被覆する方形の箱形状を基本としている。図３に示すような展開形状の板金材を曲げ形成し、接合部を溶接して作られている。天面となる上面は、完全に閉蓋される形態でも下り勾配の庇片１７を図１に示すように切り曲げた開放形態でもよい。上面の奥側には横方向に丸底の嵌込み溝１８が形成されている。この嵌込み溝１８は、ベース２の上部に設けた嵌込み溝１０に外側から係合し、カバー３のベース２への取付構造の一部をなす。
【００１６】
カバー３の下部は基本的には開放していて、屋外端末部品の実質的な屋外換気口を形成するが、この部分に一体又は図３のように別構成のギャラリ１９が設けられている。なお、別体のギャラリ１９では、溶接によりカバー３の下部の開口部に固着される。ギャラリ１９自体は、数枚の垂下状のブレード２０と枠部で構成され、枠部においてベース２の両側の立上り９の下縁に設けられた取付部にネジによって締結される。ブレード２０の屋外側壁面１３側のものは、ベース２の水切り板１２と略平行な勾配が付けられ、水切り板１２の上方に水切り板１２と並んで前方へ張り出す止水板２１を形成している。止水板２１の屋外側壁面１３の側縁は、背板４の屋外側面に密接状態に当接するように板厚の約３倍ほどの幅の平面部２２が曲げ構成されている。止水板２１を平面部２２において密接状態に当接させるのは、この部分の水密を図るうえで大切である。平面部２２の自由端縁はＲを付けて屋外側に折り返され、止水板２１に並列する止水縁部２３として構成され、止水板２１とで二重の止水構造を構成している。止水板２１については、ベース２の背板４の水切り板１２の上部に曲げ形成するか、図６に示すように背板４に溶接して、ギャラリ１９とは別に構成しても良く、この構成を採れば水切り板部分の剛性を高めることができる。
【００１７】
カバー３とベース２の取付構造は、上部の嵌込み溝１０，１８と下部のネジである。ギャラリ１９のブレード２０の間の換気開口には必要に応じ防虫ネットなどが張設される。ベース２にカバー３を取付けた状態では、ベース２の両側の立上り９がカバー３の両側面の内側に重なり、この部分を二重構造にしていて外部からの衝撃に対する高い耐性を持っている。
【００１８】
この換気系の屋外端末部品は、ベース２のパイプガイド６を換気ダクト１の屋外開口端から差し込んでベース２を装着し、このベース２の屋外側をカバー３の装着により被覆することにより機能態となる。カバー３を滴下する雨水で外壁の屋外側壁面１３が汚れないように屋外側壁面１３から雨水を水切り板１２の勾配によって離すことができる。水切り板１２の上に並んで庇状に水切り板１２より突き出し量の小さい止水板２１が斜め前方に延出しているので、下から吹き込む外風は、水切り板１２の勾配に沿って上方へ向かい、止水板２１で斜め前方へ向けられ、水切り板１２側へ向きを変えられ、水切り板１２の勾配に沿ってカバー３の外へ向けられる。
【００１９】
つまり、吹き込む外風は、水切り板１２と止水板２１と背板４で仕切られるチャンネル状の空間で方向を概ね反転されることになる（図５，図６参照）。従って、この外風に乗って吹き込む雨水もカバー３外へ向けられ、カバー３内部への浸入は防止される。水切り板１２より止水板２１は、風向きを変えることを目的としているため、その突き出し量は小さくてよく、構成も簡素である。特に、止水板部分は二重の止水構造となっているので、確り水の浸入を防ぐことができる。ギャラリ１９のブレード２０は垂下状になっていることと、カバー３の前面側にあるためこの部分からの雨水の浸入はほとんど問題にはならない。
【図面の簡単な説明】
【００２０】
【図１】換気系の屋外端末部品についての分解斜視図である。（実施の形態１）
【図２】図１のＡ―Ａ線の断面図である。（実施の形態１）
【図３】カバーの形態を示す展開図である。（実施の形態１）
【図４】屋外端末部品の取付状態を示す断面図である。（実施の形態１）
【図５】水切り板と止水板の機能を示す側断面図である。（実施の形態１）
【図６】他の形態の水切り板と止水板との関係を示す要部の拡大斜視図である。（実施の形態１）
【符号の説明】
【００２１】
１  換気ダクト、  ２  ベース、  ３  カバー、  ４  背板、  １２  水切り板、  １９  ギャラリ、  ２０  ブレード、  ２１  止水板、  ２２  平面部、  ２３  止水縁部。
【図１】
0004926021.tif 000002
【図２】
0004926021.tif 000003
【図３】
0004926021.tif 000004
【図４】
0004926021.tif 000005
【図５】
0004926021.tif 000006
【図６】
0004926021.tif 000007